(57)【要約】【課題】停電により商用電源からの電力供給が停止されている状態にあっても、発電機能付きエンジン駆動式ヒートポンプ装置を駆動して空調を行う。【解決手段】エンジンに交流発電機と圧縮機を連動連結した発電機能付きエンジン駆動式ヒートポンプ装置２を商用電源１０からの電力供給により起動し、圧縮機からの冷媒を室外側熱交換器および室内側熱交換器に供給するとともに、発電機能付きエンジン駆動式ヒートポンプ装置２で発電した交流電力および商用電源１０からの電力を空調機２や電力負荷に供給して空調を行う。停電時には、系外エンジン３０を起動して系外発電機３１で発電し、その発電電力の供給により、発電機能付きエンジン駆動式ヒートポンプ装置２を起動し、通常時と同様に空調を行う。【選択図】図１
2010007879.tif 000002
【特許請求の範囲】
【請求項１】
エンジンに発電機および圧縮機を連動連結した発電機能付きエンジン駆動式ヒートポンプ装置と、
室外ファンを備えるとともに前記圧縮機に接続されて前記圧縮機からの冷媒を供給する室外側熱交換器と、
室内ファンを備えるとともに前記圧縮機に接続されて前記圧縮機からの冷媒を供給する室内側熱交換器とを備え、
前記発電機に商用電源からの電力を前記エンジンに供給して起動可能に構成するとともに、前記発電機の発電電力と前記商用電源からの電力を前記室外ファン、前記室内ファンおよびその他の電力負荷に供給可能に構成した発電・空調システムにおいて、
起動用電源と排熱回収装置とを備えた系外エンジンと、
前記系外エンジンに連動連結されて発電する系外発電機と、
前記商用電源の停電を検出して停電信号を出力する停電検出手段とを備え、
前記停電検出手段からの停電信号に応答して前記商用電源との連系を遮断するとともに前記系外発電機の電力を前記発電機能付きエンジン駆動式ヒートポンプ装置に供給可能に構成したことを特徴とする発電・空調システム。
【請求項２】
請求項１に記載の発電・空調システムにおいて、
発電機から供給される発電電力を交流電力に変換するとともにその交流電力の周波数を調整し、かつ、外部からの供給電力量が一定になるように供給発電電力量を調整するインバータ装置と、
系外発電機から供給される発電電力を交流電力に変換するとともにその交流電力の周波数を調整する系外インバータ装置とを備えている発電・空調システム。
【発明の詳細な説明】
【技術分野】
【０００１】
本発明は、エンジンに発電機および圧縮機を連動連結した発電機能付きエンジン駆動式ヒートポンプ装置と、圧縮機からの冷媒を供給する室外側熱交換器と、室内側熱交換器とを備え、商用電源からの電力によってエンジンを起動するとともに、発電機の発電電力と商用電源からの電力を室外側熱交換器の室外ファン、室内側熱交換器の室内ファンおよびその他の電力負荷に供給可能に構成した発電・空調システムに関する。
【背景技術】
【０００２】
この種のシステムでは、従来、エンジンに発電機と圧縮機とが連動連結されて発電機能付きエンジン駆動式ヒートポンプ装置が構成され、圧縮機により、室外側熱交換器と室内側熱交換器とにわたって循環させるように冷媒を供給して空調を行い、その一方で、発電機で発電した電力を、室外側熱交換器の冷却用ファンのファンモータやエンジンの冷却水ポンプに供給し、更に、建物内の照明などのその他の電力負荷に供給するように構成している（特許文献１参照）。
【特許文献１】特開２００７−２０９０８１号公報
【発明の開示】
【発明が解決しようとする課題】
【０００３】
しかしながら、従来例の場合、エンジン始動用セルモータへは商用電源からの電力を供給しており、停電により商用電源からの電力供給が停止されている状態にあっては、エンジン始動用セルモータを作動できず、エンジンを始動できなくて圧縮機を作動できず、空調を行うことができない不都合があった。
【０００４】
本発明は、このような事情に鑑みてなされたものであって、請求項１に係る発明は、停電により商用電源からの電力供給が停止されている状態にあっても、発電機能付きエンジン駆動式ヒートポンプ装置を駆動して空調を行うことができるようにすることを目的とし、請求項２に係る発明は、発電機能付きエンジン駆動式ヒートポンプ装置での発電電力を十分に活用して省エネルギー性を向上できるようにすることを目的とする。
【課題を解決するための手段】
【０００５】
請求項１に係る発明は、上述のような目的を達成するために、
エンジンに発電機および圧縮機を連動連結した発電機能付きエンジン駆動式ヒートポンプ装置と、
室外ファンを備えるとともに前記圧縮機に接続されて前記圧縮機からの冷媒を供給する室外側熱交換器と、
室内ファンを備えるとともに前記圧縮機に接続されて前記圧縮機からの冷媒を供給する室内側熱交換器とを備え、
前記発電機に商用電源からの電力を前記エンジンに供給して起動可能に構成するとともに、前記発電機の発電電力と前記商用電源からの電力を前記室外ファン、前記室内ファンおよびその他の電力負荷に供給可能に構成した発電・空調システムにおいて、
起動用電源と排熱回収装置とを備えた系外エンジンと、
前記系外エンジンに連動連結されて発電する系外発電機と、
前記商用電源の停電を検出して停電信号を出力する停電検出手段とを備え、
前記停電検出手段からの停電信号に応答して前記商用電源との連系を遮断するとともに前記系外発電機の電力を前記発電機能付きエンジン駆動式ヒートポンプ装置に供給可能に構成する。
【０００６】
（作用・効果）
請求項１に係る発電・空調システムの構成によれば、通常時は、商用電源からの電力によって発電機能付きエンジン駆動式ヒートポンプ装置のエンジンを起動し、圧縮機および発電機を駆動するとともに、室外ファン、室内ファンおよびその他の電力負荷に発電機の発電電力と商用電源からの電力を供給して空調を行うことができる。一方、停電により商用電源からの電力供給が停止されたときには、そのことを停電検出手段で検出し、商用電源との連系を遮断するとともに系外発電機の電力を発電機能付きエンジン駆動式ヒートポンプ装置に供給し、そのエンジンを起動し、圧縮機および発電機を駆動するとともに、室外ファン、室内ファンおよびその他の電力負荷に発電機の発電電力と商用電源からの電力を供給して空調を行うことができる。
したがって、停電により商用電源からの電力供給が停止されている状態にあっても、発電機能付きエンジン駆動式ヒートポンプ装置を駆動して空調を行うことができる。
【０００７】
請求項２に係る発明は、前述のような目的を達成するために、
請求項１に記載の発電・空調システムにおいて、
発電機から供給される発電電力を交流電力に変換するとともにその交流電力の周波数を調整し、かつ、外部からの供給電力量が一定になるように供給発電電力量を調整するインバータ装置と、
系外発電機から供給される発電電力を交流電力に変換するとともにその交流電力の周波数を調整する系外インバータ装置とを備えて構成する。
【０００８】
（作用・効果）
通常時においては、インバータ装置により、発電機から供給される発電電力を交流電力に変換するとともにその交流電力の周波数を調整しながら商用電源からの供給電力量が一定になるように発電機の発電電力の供給量を調整し、一方、停電時においては、系外インバータ装置により、系外発電機から供給される発電電力を交流電力に変換するとともにその交流電力の周波数を調整し、かつ、インバータ装置により、系外発電機からの供給電力量が一定になるように発電機の発電電力の供給量を調整する。
したがって、通常時の商用電源や停電時の系外発電機といった外部からの供給電力量を一定にしながら、発電機能付きエンジン駆動式ヒートポンプ装置の発電機の発電電力量を調整することで電力負荷の負荷変動に対して対応するから、圧縮機とともに発電機を駆動するために発電効率に優れる発電機能付きエンジン駆動式ヒートポンプ装置による発電電力を十分に活用でき、省エネルギー性を向上できる。
また、系外発電機からの電力を、系外インバータ装置により周波数を調整しながら供給するから、電力負荷の負荷変動に伴う周波数変動を抑えることができ、発電機能付きエンジン駆動式ヒートポンプ装置の発電機を安定して運転できる。すなわち、発電機能付きエンジン駆動式ヒートポンプ装置では、通常の商用電源との連系状態で停電が発生したときに、保安員の安全確保のために、停電によって生じる周波数の変動を検知して発電機の駆動を停止するように構成される。系外発電機からの電力を供給している状態で電力負荷の変動によって周波数が変動すると停電時と同様に発電機の駆動が停止されることになるが、上述のように、系外インバータ装置により電力負荷の負荷変動に伴う周波数変動を抑えるから、発電機の駆動停止を招かずに発電機を安定して運転できるのである。
【発明の効果】
【０００９】
以上の説明から明らかなように、請求項１に係る発電・空調システムによれば、通常時は、商用電源からの電力によって発電機能付きエンジン駆動式ヒートポンプ装置のエンジンを起動し、圧縮機および発電機を駆動するとともに、室外ファン、室内ファンおよびその他の電力負荷に発電機の発電電力と商用電源からの電力を供給して空調を行うことができる。一方、停電により商用電源からの電力供給が停止されたときには、そのことを停電検出手段で検出し、商用電源との連系を遮断するとともに系外発電機の電力を発電機能付きエンジン駆動式ヒートポンプ装置に供給し、そのエンジンを起動し、圧縮機および発電機を駆動するとともに、室外ファン、室内ファンおよびその他の電力負荷に発電機の発電電力と商用電源からの電力を供給して空調を行うことができる。
したがって、停電により商用電源からの電力供給が停止されている状態にあっても、発電機能付きエンジン駆動式ヒートポンプ装置を駆動して空調を行うことができる。
【発明を実施するための最良の形態】
【００１０】
次に、本発明の実施例を図面に基づいて詳細に説明する。
【００１１】
図１は、本発明に係る発電・空調システムの実施例を示す電気系統主体の概略構成図であり、建物の屋上などに３台の発電機能付きエンジン駆動式ヒートポンプ装置１が設置され、発電機能付きエンジン駆動式ヒートポンプ装置１それぞれに、建物内に設けられた５台の室内空調機２が冷媒回路３を介して接続されている。
【００１２】
また、発電機能付きエンジン駆動式ヒートポンプ装置１それぞれにインバータ装置４および遮断器５を介して単相３線の電力線６が接続されている。
電力線６がスコットトランス７を介して三相３線の外部電源側電力線８に接続され、その外部電源側電力線８に商用電源用遮断器９を介して商用電源１０が接続されている。
外部電源側電力線８に三相負荷１１が接続され、一方、電力線６に他の電力負荷としての単相負荷１２や照明負荷１３などが接続されるとともに空調機２の付帯電気機器が接続されている。
【００１３】
発電機能付きエンジン駆動式ヒートポンプ装置１それぞれは、図２の概略構成図に示すように、都市ガスを燃料とするエンジン１４の出力軸の一方に交流発電機１５が連動連結されるとともに、出力軸の他方に圧縮機１６が連動連結されて構成されている。
また、エンジン１４を設置したエンジンハウジング１７に２個の冷却用の室外ファン１８を備えた室外側熱交換器１９が設けられ、更に、室外ファン１８を駆動する電動モータ２０とエンジン冷却用の冷却水ポンプ２１と、交流発電機１５で発電した交流電力を直流電力に変換する発電電力用コンバータ２２を設けて構成されている。
発電電力用コンバータ２２からの発電電力線２３がインバータ装置４に接続され、交流電力から変換した直流電力を交流電力に変換するとともに、その交流電力の周波数を調整するように構成されている。
【００１４】
空調機２それぞれは、室内側熱交換器２４と、電動モータ２５によって駆動する室内ファン２６とから構成され、電動モータ２５などの付帯電気機器に電力線６が接続されている。
圧縮機１６に冷媒回路３が接続され、その冷媒回路３に、冷媒流路を切り替える四方弁２７、室外側熱交換器１９、膨張弁２８および室内側熱交換器２４が介装され、冷媒流路を切り替えることにより、空調としての冷房または暖房を行うことができるように構成されている。
【００１５】
電力線６に、スコットトランス７を介して供給される電力の電流を検出する電流センサ２９が付設され、その電流センサ２９とインバータ装置４が連系され、発電機能付きエンジン駆動式ヒートポンプ装置１の交流発電機１５から供給される発電電力の周波数を調整するとともに外部からの供給電力量が一定になるようにエンジン１４への燃料供給量を調整し、交流発電機１５の供給発電電力量を調整するように構成されている。
【００１６】
上記構成により、通常時には、商用電源１０からの電力によってエンジン１４を起動し、かつ、インバータ装置４により、交流発電機１５から供給される発電電力の周波数を調整しながら商用電源１０から一定の電力供給を受け、負荷変動を交流発電機１５の発電電力量の制御によって吸収しながら空調を行うとともに、商用電源１０および交流発電機１５からの電力を付帯機器や外部負荷に供給できるようになっている。
【００１７】
系外エンジン３０に系外発電機３１が連動連結され、系外発電機３１と外部電源側電力線８とが系外発電機用遮断器３２および系外インバータ装置３３を介して接続されている。系外インバータ装置３３は、系外発電機３１から供給される発電電力を交流に変換するとともにその周波数を調整するようになっている。系外エンジン３０のセルモータ３４に起動用電源としてのバッテリ３５が接続され、独立して系外エンジン３０を駆動し、系外発電機３１を駆動して発電電力が得られるように構成されている。
【００１８】
また、系外エンジン３０の冷却水循環流路に第１の熱交換器３６が設けられ、一方、系外エンジン３０の排ガス流路に第２の熱交換器３７が設けられ、それらの第１および第２の熱交換器３６，３７によって排熱回収手段３８が構成され、系外エンジン３０の駆動時に排出される高温のエンジン冷却水および排気ガスとの熱交換によりエンジン排熱を回収できるように構成されている。第１の熱交換器３６で回収される熱は、吸収冷凍機を介して冷水などを取り出すのに利用され、第２の熱交換器３７で回収される熱は、貯湯タンクなどに高温の湯として貯め、給湯などに利用される。
【００１９】
外部電源側電力線８において、商用電源１０との接続箇所の近くに、電力検出によって停電を検出する停電検出手段としての第１の電力計３９が付設され、一方、系外発電機３１との接続箇所近くに、電力を検出する第２の電力計４０が付設されている。
第１および第２の電力計３９，４０がコントローラ４１に接続され、そのコントローラ４１が、セルモータ３４と、系外エンジン３０への燃料供給量を調整する流量調整弁（スロットル）４２に接続されている。
【００２０】
これにより、第１の電力計３９によって、商用電源用遮断器９の遮断に伴う商用電源１０からの電力供給の停止、すなわち、停電を検出して停電信号を出力するに伴い、その停電信号に応答して系外発電機用遮断器３２を閉じるとともに流量調整弁４２を開いて燃料を供給し、セルモータ３４を作動して系外エンジン３０を起動し、系外発電機３１による発電を行うようになっている。また、第２の電力計４０での電力量に基づいて、系外発電機３１による発電電力の供給電力量が安定するように流量調整弁４２の開度を調整できるようになっている。
【００２１】
系外発電機３１から供給される発電電力は、系外インバータ装置３３で交流に変換されるとともにその交流電力の周波数が調整され、発電機能付きエンジン駆動式ヒートポンプ装置１のエンジン１４に発電電力を供給して起動し、かつ、インバータ装置４により、交流発電機１５から供給される発電電力の周波数を調整しながら系外発電機３１から一定の電力供給を受け、負荷変動を交流発電機１５の発電電力量の制御によって吸収しながら空調を行うとともに、系外発電機３１および交流発電機１５からの電力を付帯機器や外部負荷に供給し、停電時でも空調を行うことができるようになっている。
停電から復旧した場合には、そのことを第１の電力計３９で検知するとともに流量調整弁４２を閉じて系外エンジン３０の駆動を停止するとともに、系外発電機用遮断器３２を遮断する。
【図面の簡単な説明】
【００２２】
【図１】本発明に係る発電・空調システムの実施例を示す電気系統主体の概略構成図である。
【図２】空調系統主体の概略構成図である。
【符号の説明】
【００２３】
１…発電機能付きエンジン駆動式ヒートポンプ装置
４…インバータ装置
１０…商用電源
１４…エンジン
１５…交流発電機（発電機）
１６…圧縮機
１８…室外ファン
１９…室外側熱交換器
２４…室内側熱交換器
２６…室内ファン
３０…系外エンジン
３１…系外発電機
３３…系外インバータ装置
３５…バッテリ（起動用電源）
３８…排熱回収手段
３９…第１の電力計（停電検出手段）
【図１】
2010007879.tif 000003
【図２】
2010007879.tif 000004